【手続補正書】
【提出日】平成26年4月14日(2014.4.14)
【手続補正１】
【補正対象書類名】明細書
【補正対象項目名】００１０
【補正方法】変更
【補正の内容】
【００１０】
制御部が、ページを開いた状態の冊子状媒体（例えば、通帳）を搬送路に沿って搬送させる。搬送路は、例えば、一方が駆動モータにより回転駆動される駆動ローラと、他方が駆動ローラの回転に従動して回転する従動ローラとを備える搬送ローラを複数並べて形成されている。制御部は、ページを開いた状態の冊子状媒体を搬送ローラで挟持させて搬送するように制御する。
【手続補正２】
【補正対象書類名】明細書
【補正対象項目名】００１１
【補正方法】変更
【補正の内容】
【００１１】
また、制御部は、冊子状媒体の一方のページに捲りローラが当接する第１の位置に搬送された冊子状媒体について、捲りローラを所定の方向に回転させて一方のページを捲るページ捲り処理を制御する。
【手続補正３】
【補正対象書類名】明細書
【補正対象項目名】００１２
【補正方法】変更
【補正の内容】
【００１２】
また、制御部は、冊子状媒体の他方のページに捲りローラが当接する第２の位置に搬送された冊子状媒体について、捲りローラを所定の方向に回転させて冊子状媒体を繰り出す繰出処理を制御する。
【手続補正４】
【補正対象書類名】明細書
【補正対象項目名】００１３
【補正方法】変更
【補正の内容】
【００１３】
例えば、通帳が２冊重なった状態で、第２の位置に搬送された場合、上記繰出処理を行うと、捲りローラが当接する一方の通帳が、この捲りローラとの間で生じる摩擦力によって繰り出される。このとき、通帳が重なっていれば、捲りローラが当接した通帳が、この通帳の下側（捲りローラの反対側）に位置する他方の通帳に比べて大きく繰り出され、一方の通帳と、他方の通帳との重なり位置が搬送方向にずれる。したがって、通帳が重送されていた場合、繰出処理を行うことによって、この通帳（２冊の通帳）の搬送方向の長さが見かけ上、長くなる。
【手続補正５】
【補正対象書類名】明細書
【補正対象項目名】００１４
【補正方法】変更
【補正の内容】
【００１４】
さらに、制御部は、繰出処理によって繰り出した冊子状媒体の搬送方向の長さを判定し、複数の冊子状媒体の重送があるか否かを判定する重送判定を制御する。
【手続補正６】
【補正対象書類名】明細書
【補正対象項目名】００１５
【補正方法】変更
【補正の内容】
【００１５】
このように、この発明は、捲りローラを利用して、複数冊の冊子状媒体が重なっていれば、これらの冊子状媒体の重なり位置を搬送方向にずらす繰出処理を行う。そして、この繰出処理を行った後に、冊子状媒体の搬送方向の長さが適正であるか否かによって重送であるかどうかを判定する。したがって、冊子状媒体の重送を精度良く判定することができる。
【手続補正７】
【補正対象書類名】明細書
【補正対象項目名】００１７
【補正方法】変更
【補正の内容】
【００１７】
また、繰出処理は、駆動ローラと、従動ローラとの隙間を広げ、搬送ローラが冊子状媒体を挟持していない状態にした後、捲りローラを所定の方向に回転させるのが好ましい。このようにすれば、重送されている冊子状媒体が、この繰出処理で搬送方向にずれる量をより大きくでき、重送であるかどうかの判定精度を一層向上できる。
【手続補正８】
【補正対象書類名】明細書
【補正対象項目名】００１８
【補正方法】変更
【補正の内容】
【００１８】
また、重送判定は、繰出処理を行う前に検出した冊子状媒体の搬送方向の長さと、繰出処理を行った後に検出した冊子状媒体の搬送方向の長さと、を比較して、冊子状媒体の重送であるかどうかを判定するのが好ましい。このようにすれば、重送であるかどうかの判定精度を一層向上できる。
【手続補正９】
【補正対象書類名】明細書
【補正対象項目名】００２４
【補正方法】変更
【補正の内容】
【００２４】
図１、および図２を参照しながら、通帳処理ユニット１の各部の構成について説明する。制御部２は、通帳処理ユニット１本体各部の動作を制御する。制御部２は、ＣＰＵやメモリ（不揮発性メモリ、および揮発性メモリ）を有する。
【手続補正１０】
【補正対象書類名】明細書
【補正対象項目名】００２５
【補正方法】変更
【補正の内容】
【００２５】
搬送部３は、搬送路に沿って通帳を搬送する。搬送路は、一対の搬送ローラ３１〜３６を複数並べて形成している。一対の搬送ローラ３１〜３６は、一方がパルスモータ（不図示）により回転駆動される駆動ローラであり、他方が駆動ローラの回転に従動して回転する従動ローラである。隣接する搬送ローラ３１〜３６の間隔は、ページを開いた通帳の搬送方向の長さよりも短い。搬送部３は、通帳を、駆動ローラと従動ローラとで挟持して搬送する。搬送路は、通帳処理ユニット１本体正面に設けた通帳挿入口１２と、後述するページ捲り位置（この発明で言う第１の位置に相当する。）とを結んでいる。また、搬送路における通帳挿入口１２とページ捲り位置との間に、後述する磁気データ読取位置、印字位置、光学データ読取位置、重送検査位置（この発明で言う第２の位置に相当する。）等を設定している。
【手続補正１１】
【補正対象書類名】明細書
【補正対象項目名】００６３
【補正方法】変更
【補正の内容】
【００６３】
このように、この通帳処理ユニット１は、通帳の重送を、厚み検知センサを用いることなく検知できるので、本体を小型にできるとともに、コストダウンが図れる。また、重送の検知精度も十分に確保できる。
【手続補正１２】
【補正対象書類名】特許請求の範囲
【補正対象項目名】全文
【補正方法】変更
【補正の内容】
【特許請求の範囲】
【請求項１】
ページを開いた状態の冊子状媒体を搬送するための搬送路と、捲りローラと、制御部とを有し、
前記制御部は、
前記冊子状媒体を前記搬送路に沿って搬送させる処理と、
前記冊子状媒体の一方のページに前記捲りローラが当接する第１の位置に搬送された前記冊子状媒体について、前記捲りローラを所定の方向に回転させて前記一方のページを捲るページ捲り処理と、
前記冊子状媒体の他方のページに前記捲りローラが当接する第２の位置に搬送された前記冊子状媒体について、前記捲りローラを前記所定の方向に回転させて前記冊子状媒体を繰り出す繰出処理と、
前記繰出処理によって繰り出された前記冊子状媒体の搬送方向の長さを判定し、複数の冊子状媒体の重送があるか否かを判定する重送判定と、を制御することを特徴とする冊子状媒体処理装置。
【請求項２】
前記搬送路は、一方が駆動モータにより回転駆動される駆動ローラと、他方が前記駆動ローラの回転に従動して回転する従動ローラとを備える搬送ローラを複数並べて形成され、
前記制御部は、前記冊子状媒体を前記搬送ローラで挟持させて搬送するよう制御することを特徴とする請求項１に記載の冊子状媒体処理装置。
【請求項３】
前記制御部は、前記冊子状媒体が前記第２の位置に搬送されるとき、前記駆動ローラと前記従動ローラとの隙間を広げた後に、前記捲りローラを前記所定の方向に回転させるよう制御することを特徴とする請求項２に記載の冊子状媒体処理装置。
【請求項４】
前記搬送路に沿って搬送される前記冊子状媒体の有無を検知するセンサをさらに有し、前記制御部は、前記センサを用いて前記冊子状媒体の搬送方向の長さを検出することを特徴とする請求項１〜３のいずれかに記載の冊子状媒体処理装置。
【請求項５】
前記制御部は、前記繰出処理を行う前に検出する前記冊子状媒体の搬送方向の長さと前記繰出処理を行った後に検出する前記冊子状媒体の搬送方向の長さとの差が予め定めた値を超えているときに、前記冊子状媒体の重送があると判定することを特徴とする請求項１〜４のいずれかに記載の冊子状媒体処理装置。